(57)【要約】      （修正有）【課題】積載物固定ベルトがパレット上の積載物を、荷崩れしないようにフィットし短時間で固定でき、輸送時の振動によって積載物固定ベルトと積載物の間に緩みが生じない固定ベルトを提供する。【解決手段】パレット上８の積載物７の周りを一周するように積載物固定ベルト３を配置し、固定具を保持した側の積載物固定ベルト端末短手方向の握り棒２を、もう一方の積載物固定ベルト端末短手方向に保持した締結調節具の空隙を通過、反転させ握り棒部を引張すると、握り棒２から続く積載物固定ベルト３は締結調節具の弾性を有するプラスチック棒１−２上を短手方向幅で滑り、ベルト３はプラスチック棒１−２の弾性を伝達、保持しながら固定でき、輸送時の振動にも緩衝作用を発揮し、金属板１−３をクッション材でカバーした事と相まって荷痛めを起こさない。【選択図】図４
0003144369.tif 000002
【実用新案登録請求の範囲】
【請求項１】
長方形に配置された積載物固定ベルトであって、該積載物固定ベルトの長手方向端末の短手方向に３０ｍｍ〜６０ｍｍ×４５０ｍｍ〜７００ｍｍの長方形の締結調節具、もう一方の長手方向端末の短手方向に引張用の３００ｍｍ〜７００ｍｍの握り棒と積載物固定ベルト長手方向に固定具を配置した積載物固定ベルト。
【請求項２】
前記、請求項１記載の積載物固定ベルトで、長方形の締結調節具は一方の長辺が剛性を有す金属又はプラスチックの棒で、もう一方の長辺は弾性を有するプラスチック棒から成り、両棒の上下を金属板で接続して長方形と成し、剛性を有す金属又はプラスチック棒を積載物固定ベルトの長手方向端末の短手方向に固定し、積載物固定ベルトのもう一方の長手方向端末の短手方向には引張用握り棒として、剛性を有す金属又はプラスチック棒を固定した事を特徴とする積載物固定ベルト。
【請求項３】
前記、請求項１及び２記載の積載物固定ベルトで、長手方向端末の短手方向に固定した締結調節具の剛性を有す金属又はプラスチック棒と弾性を有するプラスチック棒の上下は接続用の金属板をネジ留し、もう一方の長手方向端末の短手方向は、中途に穴を有する袋に握り棒を収納する構造とし、締結調節具と握り棒の着脱を容易にした事を特徴とする積載物固定ベルト。
【請求項４】
前記、請求項１，２及び３記載の積載物固定ベルトで、長方形の締結調節具の剛性を有する金属又はプラスチック棒と弾性を有するプラスチック棒を接続する金属板のネジ留部には、クッション材を保持している事を特徴とする積載物固定ベルト
【考案の詳細な説明】
【技術分野】
【０００１】本考案は積載物の荷崩れを防止する固定ベルトに関する。
【背景技術】
【０００２】従来、荷物運搬時のパレット積載物の荷崩れを防止する手段としては、一般には積載物の周囲にストレッチフィルムを幾重にも巻いて荷崩れを防止してきた。ストレッチフィルムは作業時間がかかりすぎることや再利用ができないこと、廃棄で費用がかかり燃焼すると炭酸ガスを排出することから、近年、再利用できる荷崩れ防止用固定ベルトやネットが普及してきた。しかし、形態、重量、運搬距離等が異なる様々な積載物をパレット上に固定する時に、固定ベルトと積載物を短時間でフィットさせることの難しさ、輸送途中での振動により積載物とベルト間が緩み積載物に傷や汚れが発生する。この欠点を改善する事と、積載物を固定及び解消作業が作業者一人で短時間、安全に完了できる手段の提供が望まれていた。
【考案の開示】
【考案が解決しようとする課題】
【０００３】本考案は荷物運搬時の積載物を固定する手段として、ストレッチフィルムに代わる固定手段の提供にある。つまり、積載物固定ベルトがパレット上の積載物を傷つけることなくぴったりとフィットし短時間で固定できる事と、輸送時の振動によって積載物固定ベルトと積載物の間に緩みが生じない事、且つ積載物が傷つくことを防止する手段、更に積載物固定ベルトが洗濯できる事の提供にある。
【課題を解決するための手段】
【０００４】上記の課題を解決すべく本考案者らは鋭意検討した結果、上記の課題は次のような手段によって解決することがわかった。
即ち、本考案の積載物固定ベルトをパレット上の積載物の周りを一周させ、固定具を保持した側の積載物固定ベルト端末の握り棒部を、もう一方の積載物固定ベルト端末に保持した締結調節具を通過、反転させ握り棒部を引張すると、握り棒から続く積載物固定ベルトは締結調節具の弾性を有するプラスチック棒上を短手方向幅で滑り、ベルトは弾性を保持しながらしっかりと固定できる。この時、積載物固定ベルトの長手方向端末の短手方向に固定した長方形の締結調節具の剛性を有する長手方向の棒と、これに金属板で接続する長手方向は弾性を有するプラスチック棒を配置したことにより、積載物固定ベルトは適度の弾力下で固定され、輸送中の振動による荷の緩みへの対応ができる。又、積載物固定ベルトの長手方向端末の短手方向に剛性を有す握り棒を保持したことで、積載物固定ベルトの短手方向が同時に広幅で引張できて固定が容易となった。更に、積載物固定ベルトの長方形の締結調節具の部品繋ぎ目は、クッション材を保持して、積載物を保護する構造とした。長方形の締結調節具の剛性を有する棒は積載物と積載物固定ベルトの固定作用を、弾性を有する棒は振動作用に対応し、部品繋ぎ目のクッション材の使用と相まって積載物を傷つけることなく取り扱いが簡便で作業効率も上昇した。この作業は作業開始から積載物の固定までを一人で短時間に確実にでき、安全に運搬することができ、かつ、締結調節具の剛性を有する棒の上下と金属板との接続部は着脱可能で、積載物固定ベルト端末の握り棒も収められた袋の穴から出し入れができ、汚れの激しいベルトの洗濯が簡単にできる構造にした事で上記課題を解決できることがわかった。
【考案の効果】
【０００５】積載物を固定する手段として、本考案の積載物固定ベルトを積載物の周りに一周させ、締結調整具と握り棒を用いてベルトを適正に締めて止めれば作業は完了する。積載物固定ベルトは網や布、フィルム等の四方を補強した長方形ベルトから成るが、長方形ベルトの長手方向端末の短手方向に長方形の締結調節具を保持したことと、もう一方の端末に握り棒を保持したことで、ベルト短手方向の広範が引張できて、積載物と積載物固定ベルトが適切にフィットでき、固定が簡単で作業効率が向上し、弾性を有するプラスチック棒の効果で運搬時の振動による荷の緩みも無くなった。また、締結調節具の上下接続部にはクッション材を保持したことで、積載物を傷つけることもない。更に、長方形の締結調整具と握り棒は着脱可能にした事で、汚れた長方形ベルトを洗濯できて、綺麗な固定ベルトの提供ができる。本考案の積載物固定ベルトを用いることで、従来から行ってきたストレッチフィルムを幾重にも巻く作業時間の短縮と、ストレッチフィルムの廃棄作業の改善と廃棄費用の削減及びストレッチフィルムの焼却処理による炭酸ガスの排出の削減等に結びつけることは勿論、輸送時の振動による荷痛みを軽減する。更に、清潔な固定ベルトの供給が可能となり、美観が増し荷の汚れが軽減できる。
【考案を実施するための最良の形態】
【０００６】作業者一人でパレット上の積載物を固定する場合において、図１の積載物固定ベルトをパレット上の積載物の周りを一周させ、積載物固定ベルト端末の握り棒２を締結調節具１の空隙を通過、反転させて、弾性を有するプラスチック棒１−２に握り棒２に続くベルトを掛け、握り棒２を引張し、締結ベルトの固定部５を固定する。この時、握り棒が積載物固定ベルトの短手方向幅に近いので広幅の引張が容易で、締結が簡単にできる態様である。又、締結調節具の剛性を有する棒１−１、弾性を有するプラスチック棒１−２の上下に接続する金属板１−３はクッション材１−５を介してネジ１−４で留めてあり、着脱可能である。つまり、クッション材を装着することで、積載物を傷つけることなく程よくフィットし、運搬時の振動から積載物を保護し、弾性を有するプラスチック棒１−２のしなり効果と相まって適切に固定できる態様である。また、剛性を有する棒１−１の上下何れかのネジ１−４一個を外せば締結調節具が外れ、もう一方端末の握り棒２は、収納した袋６の中途に設けた穴６−１から着脱ができ、固定ベルトの洗濯が容易である。この作業は作業者一人で短時間に固定できて、荷の緩み、傷める事無く安全な運搬を行うことができ、最終的な形態は図４の積載状態となる。
【実施例】
【０００７】以下、本考案を図面を用いて詳細に説明する。
図１は本考案の積載物固定ベルトの立面図である。
積載物固定ベルト地３の四方の縁に補強ベルト４を縫合して長方形ベルトとする。この際、積載物固定ベルト端末の短手方向に長方形の締結調節具１の剛性を有する棒１−１を保持する。保持した締結調節具１は剛性を有する棒１−１の上下と弾性を有するプラスチック棒１−２の上下に、金属板１−３をネジ１−４でクッション材１−５を挟んで接続したものである。次に、もう一方の積載物固定ベルト端末の短手方向には、剛性を有する握り棒２を袋６に納めたものを保持する。袋６は中途に穴６−１を有して握り棒２の出し入れが可能な構造である。固定部５は握り棒２を先頭にして締結調節具１を通過、反転させ、弾性を有するプラスチック棒１−２上を滑らせながら引張し固定する。又、固定ベルトを洗濯する際は、締結調節具の剛性を有する棒１−１の上下ネジの何れかを外せば締結調節具１が外せ、もう一方端末の握り棒２は収納袋６の出し入れ穴６−１から抜き出せば簡単に外すことができる。【０００８】図２は本考案の積載物固定ベルトの締結調節具の見取図である。
積載物固定ベルトの長手方向端末の短手方向に保持する剛性を有する棒１−１の上下と弾性を有するプラスチック棒１−２の上下を接合する金属板１−３と接合の為のネジ１−４とクッション材１−５である。【０００９】図３は本考案の積載物固定ベルトのもう一方の端末部、握り棒２、収納袋６、収納袋穴部６−１、固定部５の見取図である。【００１０】図４は本考案の積載物固定ベルトを使用してパレット上の積載物を固定した時の見取図である。パレット８上の積載物７を固定する際、積載物固定ベルトを積載物の周りを一周させ、積載物固定ベルト端末短手方向の握り棒２をもう一方の端末に配置した締結調節具を通過後反転し，ベルトが弾性を有するプラスチック棒１−２上を滑り、引締する事で固定部５のマジックテープで適正に接合する。本作業は作業者一人が短時間で容易に固定でき、運搬時の荷の緩み、荷傷み、汚れを大幅に軽減できることが大きな特徴である。【００１１】図１から図４の本考案の積載物固定ベルトの材質と寸法について以下に説明する。
積載物固定ベルト地３は長方形ベルトを接続したものが一般的であるが、全体の大きさは４５０ｍｍ〜７００ｍｍ×３５００ｍｍ〜７０００ｍｍの大きさで、布、フィルム、網の何れかで、積載物の内容により選択する。材質はポリエステル、ナイロン、アクリル繊維、ポリ塩化ビニール、ポリエチレン、ポリビニールアルコール等が好ましい。長方形ベルト地の四方の補強ベルトは幅３０ｍｍ〜１００ｍｍで、ポリエステル、ナイロン、ポリ塩化ビニール等の材質が好ましい。積載物固定ベルト長手方向端末の短手方向に保持する締結調節具１は３０ｍｍ〜６０ｍｍ×４５０ｍｍ〜７００ｍｍの長方形で、剛性を有する棒１−１と弾性を有するプラスチック棒１−２の直径は６ｍｍ〜２０ｍｍで丸棒でも筒管でも良い。剛性を有する棒１−１はアルミニウム、ステンレス、塩化ビニール、ポリプロピレン等が好ましく、弾性を有するプラスチック棒１−２はＡＢＳ，ポリプロピレン、ポリエチレン、ＦＲＰ等が好ましい。金属板１−３はアルミニウム、ステンレス、亜鉛引き鉄等が好ましく、ネジ１−４はステンレス、亜鉛引き鉄等が良い。又、クッション材１−５はウレタン、発砲ポリエチレン、ニトリロゴム等が好ましい。積載物固定ベルトのもう一方端末に保持する握り棒２は丸棒でも筒管でも良く、直径６ｍｍ〜３０ｍｍで、アルミニウム、ステンレス、塩化ビニール、ポリプロピレン等が好ましい。袋６は握り棒の寸法に合わせ、材質はポリエステル、ナイロン、綿等が好ましく、固定部５はポリエステル、ナイロン、ポリプロピレン等のマジックテープが好ましい態様である。
【産業上の利用可能性】
【００１２】パレットに荷物を積載し運搬する運搬作業者及び運送業界で、本考案の積載物固定ベルトで固定作業を行うと、積載物を傷めることなく容易くフィットでき、作業時間も大幅に削減でき、輸送時の荷の緩み、荷傷み、汚れを大幅に軽減できる。積載物を作業者一人で固定する場合において、従来使用していたストレッチフィルムに代わって本考案の積載物固定ベルトが利用できる。
【図面の簡単な説明】
【００１３】
【図１】積載物固定ベルトの立面図
【図２】積載物固定ベルトの締結調節具の見取図
【図３】積載物固定ベルトの握り棒部と固定部の拡大図
【図４】パレット上の積載物を積載物固定ベルトで固定する見取り図
【符号の説明】
【００１４】１      ：締結調節具
１−１  ：剛性を有す金属又はプラスチック棒
１−２  ：弾性を有すプラスチック棒
１−３  ：接続用金属板
１−４  ：ネジ
１−５  ：クッション材
２      ：握り棒
３      ：長方形ベルト
４      ：補強ベルト
５      ：固定部
６      ：握り棒収納袋
６−１  ：握り棒出し入れ穴
７      ：積載物
８      ：パレット
【図１】
0003144369.tif 000003
【図２】
0003144369.tif 000004
【図３】
0003144369.tif 000005
【図４】
0003144369.tif 000006